(57)【要約】【課題】設置対象物に対して容易に取り付けることが可能な防災装置を提供することを目的とする。【解決手段】  天井９００に取り付けられる感知器１００であって、天井９００に取り付けられる取付ベース１と、感知器１００の構成要素を収容する筐体２であって、取付ベース１に取り付けられる筐体２と、取付ベース１と筐体２とを相互に磁力を用いて固定する固定機能と、取付ベース１側と筐体２側とを相互に電気的に接続する接続機能とを有する基板側正極端子６Ａ、基板側負極端子６Ｂ、ベース側正極移動端子７２Ａ、及びベース側負極移動端子７２Ｂとを備え、ベース側正極移動端子７２Ａ及びベース側負極移動端子７２Ｂは、磁場を発生する導電性の第１の部品であり、基板側正極端子６Ａ及び基板側負極端子６Ｂは、磁場を発生しない導電性の第２の部品である。【選択図】図２
2018120545.tif 000002
【特許請求の範囲】
【請求項１】
設置対象物に取り付けられる防災装置であって、
前記設置対象物に取り付けられる取付手段と、
前記防災装置の構成要素を収容する収容手段であって、前記取付手段に取り付けられる前記収容手段と、
前記取付手段と前記収容手段とを相互に磁力を用いて固定する固定機能と、前記取付手段側と前記収容手段側とを相互に電気的に接続する接続機能とを有する固定接続手段と、
を備える防災装置。
【請求項２】
前記固定接続手段は、前記取付手段又は前記収容手段のうちの一方の手段に取り付けられている第１の部品と、前記取付手段又は前記収容手段のうちの他方の手段に取り付けられている第２の部品であって、前記第１の部品と対向している前記第２の部品と、を備え、
前記第１の部品は、磁場を発生する導電性の部品であり、前記第２の部品は、磁場を発生する導電性の部品又は磁場を発生しない導電性の部品である、
請求項１に記載の防災装置。
【請求項３】
前記取付手段及び前記収容手段は、回動中心を基準に回動して互いに取り付けられ、
前記第１の部品及び前記第２の部品各々は、前記回動中心からの距離が互いに異なる複数の位置に設けられている複数の部品である、
請求項２に記載の防災装置。
【請求項４】
前記取付手段及び前記収容手段は、回動中心を基準に回動して互いに取り付けられ、
前記第１の部品及び前記第２の部品各々は、前記回動中心からの距離が互いに同じになる複数の位置に設けられている複数の部品である、
請求項２又は３に記載の防災装置。
【請求項５】
前記第１の部品又は前記第２の部品は、前記回動中心を基準に前記取付手段及び前記収容手段が相対的に回動する方向に延在している、
請求項３又は４に記載の防災装置。
【請求項６】
前記第１の部品又は前記第２の部品は、自己が取り付けられている前記取付手段又は前記収容手段に対して、前記取付手段と前記収容手段とが対向する方向に沿って移動可能に取り付けられている、
請求項２から５の何れか一項に記載の防災装置。
【請求項７】
前記防災装置は、前記固定接続手段の外部の磁場発生手段から所定の外部磁場が印加された場合に、前記収容手段が前記取付手段から取り外されるように構成されている、
請求項１から６の何れか一項に記載の防災装置。
【発明の詳細な説明】
【技術分野】
【０００１】
本発明は、防災装置に関する。
【背景技術】
【０００２】
従来、煙が流入するチャンバと、当該チャンバを収容する筐体とを備える火災感知器が知られていた（例えば、特許文献１参照）。この火災感知器は、例えば、筐体を天井に取り付けて用いられるように構成されており、チャンバに流入した煙を検出することにより、火災を判定していた。
【先行技術文献】
【特許文献】
【０００３】
【特許文献１】特開２０１１−２４８５４７号公報
【発明の概要】
【発明が解決しようとする課題】
【０００４】
ところで、一般的に、火災感知器の筐体は、天井に固定されている取付ベースであって、筐体と係合するように構成されている当該取付ベースを用いて、天井に取り付けられるように構成されていた。また、この筐体側と取付ベース側に端子が設けられており、取付ベースを介して筐体を天井に取り付けた場合に、筐体側と取付ベース側とが相互に電気的に接続されるように構成されていた。
【０００５】
しかしながら、取付ベース及び筐体は、天井に取り付けられた筐体が落下するのを防止するために、相互に比較的強固に係合するように構成されていたので、筐体を天井に取り付けて筐体側と取付ベース側とを電気的に接続する場合、あるいは、筐体を天井から取り外して筐体側と取付ベース側とを電気的に遮断する場合に、比較的大きな力を筐体に付与する必要があり、筐体を天井に対して着脱する作業が手間となる可能性があった。特に、筐体の着脱を行う作業者は、一般的に、脚立の如き作業台上等の不安定な場所にて筐体の着脱作業を行ったり、あるいは、筐体を着脱するための長尺状の専用冶具を用いて着脱作業を行ったりする必要があり、筐体を天井に対して着脱する作業が手間となる可能性があった。
【０００６】
本発明は上記問題に鑑みてなされたもので、設置対象物に対して容易に取り付けることが可能な防災装置を提供することを目的とする。
【課題を解決するための手段】
【０００７】
上述した課題を解決し、目的を達成するために、請求項１に記載の防災装置は、設置対象物に取り付けられる防災装置であって、前記設置対象物に取り付けられる取付手段と、前記防災装置の構成要素を収容する収容手段であって、前記取付手段に取り付けられる前記収容手段と、前記取付手段と前記収容手段とを相互に磁力を用いて固定する固定機能と、前記取付手段側と前記収容手段側とを相互に電気的に接続する接続機能とを有する固定接続手段と、を備える。
【０００８】
また、請求項２に記載の防災装置は、請求項１に記載の防災装置において、前記固定接続手段は、前記取付手段又は前記収容手段のうちの一方の手段に取り付けられている第１の部品と、前記取付手段又は前記収容手段のうちの他方の手段に取り付けられている第２の部品であって、前記第１の部品と対向している前記第２の部品と、を備え、前記第１の部品は、磁場を発生する導電性の部品であり、前記第２の部品は、磁場を発生する導電性の部品又は磁場を発生しない導電性の部品である。
【０００９】
また、請求項３に記載の防災装置は、請求項２に記載の防災装置において、前記取付手段及び前記収容手段は、回動中心を基準に回動して互いに取り付けられ、前記第１の部品及び前記第２の部品各々は、前記回動中心からの距離が互いに異なる複数の位置に設けられている複数の部品である。
【００１０】
また、請求項４に記載の防災装置は、請求項２又は３に記載の防災装置において、前記取付手段及び前記収容手段は、回動中心を基準に回動して互いに取り付けられ、前記第１の部品及び前記第２の部品各々は、前記回動中心からの距離が互いに同じになる複数の位置に設けられている複数の部品である。
【００１１】
また、請求項５に記載の防災装置は、請求項３又は４に記載の防災装置において、前記第１の部品又は前記第２の部品は、前記回動中心を基準に前記取付手段及び前記収容手段が相対的に回動する方向に延在している。
【００１２】
また、請求項６に記載の防災装置は、請求項２から５の何れか一項に記載の防災装置において、前記第１の部品又は前記第２の部品は、自己が取り付けられている前記取付手段又は前記収容手段に対して、前記取付手段と前記収容手段とが対向する方向に沿って移動可能に取り付けられている。
【００１３】
また、請求項７に記載の防災装置は、請求項１から６の何れか一項に記載の防災装置において、前記防災装置は、前記固定接続手段の外部の磁場発生手段から所定の外部磁場が印加された場合に、前記収容手段が前記取付手段から取り外されるように構成されている。
【発明の効果】
【００１４】
請求項１に記載の防災装置によれば、固定接続手段を備えることにより、例えば、取付手段と収容手段とを相互に磁力を用いて固定することができるので、設置対象物に対して容易に取り付けることが可能な防災装置を提供することができる。また、固定接続手段が固定機能に加えて接続機能を有しているので、例えば、１つのみの手段を用いて、取付手段と収容手段との相互間の固定と、取付手段側と収容手段側との相互間の電気的な接続とを行うことができるので、防災装置の部品点数を減らすことができ、コンパクトな防災装置を低コストで提供することができる。
【００１５】
また、請求項２に記載の防災装置によれば、取付手段又は収容手段のうちの一方の手段に取り付けられている第１の部品と、取付手段又は収容手段のうちの他方の手段に取り付けられている第２の部品であって、第１の部品と対向している第２の部品とを備えることにより、例えば、取付手段側の部品と収容手段側の部品とを用いて、取付手段と収容手段とを強固に固定することができる。
【００１６】
また、請求項３に記載の防災装置によれば、第１の部品及び第２の部品各々が、回動中心からの距離が互いに異なる複数の位置に設けられている複数の部品であることにより、例えば、意図していない組み合わせの第１の部品及び第２の部品同士が、相互に対向して電気的に接続されるのを防止することができる。
【００１７】
また、請求項４に記載の防災装置によれば、第１の部品及び第２の部品各々が、回動中心からの距離が互いに同じになる複数の位置に設けられている複数の部品であることにより、例えば、第１の部品及び第２の部品を１つの円状にまとめることができるので、防災装置のスペースを有効に活用することが可能となる。
【００１８】
また、請求項５に記載の防災装置によれば、第１の部品又は第２の部品が、回動中心を基準に取付手段及び収容手段が相対的に回動する方向に延在していることにより、例えば、取付手段及び収容手段が相対的に回動する方向において余裕ができるので、第１の部品及び第２の部品を、確実かつ容易に相互に対向させることができる。
【００１９】
また、請求項６に記載の防災装置によれば、第１の部品又は第２の部品が、自己が取り付けられている取付手段又は収容手段に対して、取付手段と収容手段とが対向する方向に沿って移動可能に取り付けられていることにより、例えば、取付手段と収容手段とが対向する方向において遊びを持たせることができるので、第１の部品及び第２の部品を相互に確実に接触させることができ、取付手段側と収容手段側とを相互に電気的に確実に接続することができる。
【００２０】
また、請求項７に記載の防災装置によれば、磁場発生手段から所定の外部磁場が印加された場合に、収容手段が取付手段から取り外されるように構成されていることにより、例えば、設置対象物からの収容手段の取外しを容易に行うことができる。
【図面の簡単な説明】
【００２１】
【図１】本実施の形態に係る感知器の底面図である。
【図２】図１のＡ―Ａ矢視断面図である。
【図３】ベース側正極固定接続部及びベース側負極固定接続部が取り付けられている状態の取付ベースの底面図である。
【図４】基板側正極端子及び基板側負極端子が取り付けられている状態の支持板の底面図である。
【図５】図２の一部の拡大図である。
【図６】図２に対応する断面図であって、天井に既に取り付けられている取付ベースと、未だ取付ベースに取り付けられていない筐体とを示す断面図である。
【図７】変形例の基板側正極端子及び変形例の基板側負極端子が取り付けられている状態の支持板の底面図である。
【図８】変形例の基板側正極端子及び変形例の基板側負極端子が取り付けられている状態の支持板の底面図である。
【発明を実施するための形態】
【００２２】
以下に、本発明に係る防災装置の実施の形態を図面に基づいて詳細に説明する。なお、この実施の形態によりこの発明が限定されるものではない。
【００２３】
〔実施の形態の基本的概念〕
まずは、実施の形態の基本的概念について説明する。実施の形態は、概略的に、防災装置に関するものである。
【００２４】
ここで、「防災装置」とは、防災を行う装置であり、具体的には、具体的には、設置対象物に取り付けられて用いられるものであり、例えば、取付手段と、収容手段と、固定接続手段とを備えるものであって、一例としては、感知器、光警報機、及び避難誘導灯等を含む概念である。「感知器」とは、監視領域の異常を判定する機器であり、具体的には、監視領域の検出対象を検出することにより、火災、ガス漏れ等の異常を判定する機器である。この「感知器」は、例えば、煙感知器、熱感知器、火災感知器、及びガス漏れ感知器等を含む概念である。また、「監視領域」とは、感知器による監視の対象となっている領域であり、具体的には、一定の広がりを持った空間であって、屋内あるいは屋外の空間であって、例えば、建物の廊下、階段、又は部屋等の空間を含む概念である。また、「光警報機」とは、光を発光して警報を行うものであり、例えば、フラッシュ光を発光するもの等を含む概念である。また、「避難誘導灯」とは、光を用いて避難誘導を行うものであり、例えば、常時発光しているもの、あるいは、所定の場合（例えば、避難誘導を行う場合）に発光するもの等を含む概念である。また、「設置対象物」とは、防災装置が取り付けられる対象となる物であり、例えば、天井、又は壁等を含む概念である。また、「検出対象」とは、感知器による検出の対象であり、具体的には、監視領域の異常に関連するものであり、例えば、煙、熱、炎、及び一酸化炭素等の有毒ガス等を含む概念である。
【００２５】
また、「取付手段」とは、設置対象物に取り付けられるものであり、例えば、設置対象物と対向した状態で当該設置対象物に取り付けられるものである。
【００２６】
また、「収容手段」とは、防災装置の構成要素を収容するものであって、取付手段に取り付けられるものであり、例えば、防災装置の外観の少なくとも一部を形成するものである。なお、「構成要素」とは、防災装置を構成する要素であり、例えば、少なくとも検出手段を含む概念である。また、「検出手段」とは、気体に含まれている検出対象を検出するための手段であって、収容手段に収容されているものであり、例えば、検出対象が流入する検出空間を含む概念である。
【００２７】
また、「固定接続手段」とは、取付手段と収容手段とを相互に磁力を用いて固定する固定機能と、取付手段側と収容手段側とを相互に電気的に接続する接続機能とを有するものであり、例えば、第１の部品と、第２の部品とを備えるものである。「第１の部品」とは、取付手段又は収容手段のうちの一方の手段に取り付けられているものであり、磁場を発生する導電性の部品である。「第２の部品」とは、取付手段又は収容手段のうちの他方の手段に取り付けられている部品であり、第１の部品と対向している部品であって、磁場を発生する導電性の部品又は磁場を発生しない導電性の部品である。
【００２８】
そして、以下に示す実施の形態では、「防災装置」が火災感知器であり、「検出対象」が煙（具体的には、煙の粒子）である場合において、「固定接続手段」の「第１の部品」が取付手段に取り付けられている磁場を発生する導電性の部品であり、「固定接続手段」の「第２の部品」が収容手段に取り付けられている磁場を発生しない導電性の部品である場合について説明する。
【００２９】
（構成）
まず、本実施の形態に係る感知器の構成について説明する。図１は、本実施の形態に係る感知器の底面図であり、図２は、図１のＡ―Ａ矢視断面図である。なお、図２の検出空間３については、説明の便宜上、単に矩形にて示されている。また、以下の説明では、図１及び図２に示すＸ―Ｙ―Ｚ方向が互いに直交する方向であり、具体的には、Ｚ方向が鉛直方向であって、Ｘ方向及びＹ方向が鉛直方向に対して直交する水平方向であるものとして、例えば、Ｚ方向を高さ方向、あるいは、取付ベース１と筐体２とが対向する方向と称し、＋Ｚ方向を上側（平面）と称し、−Ｚ方向を下側（底面）と称して説明する（後述の各図も同様とする）。また、以下の「Ｘ―Ｙ―Ｚ方向」に関する用語については、図示の感知器１００において、各構成品の相対的な位置関係（又は、方向）等を説明するための便宜的な表現であることとし、図２の検出空間３の中心位置を基準として、ＸＹ平面に沿って検出空間３から離れる方向を「外側又は端側」と称し、検出空間３に近づく方向を「内側又は中央側」と称して、以下説明する。
【００３０】
これら各図に示す感知器１００は、防災装置であり、監視領域の煙を検出することにより、火災を判定する機器であり、具体的には、図２に示すように、設置対象物である監視領域の天井９００に取り付けて用いられるものであり、例えば、取付ベース１、筐体２、検出空間３、回路基板４、支持板５、基板側正極端子６Ａ、基板側負極端子６Ｂ、ベース側正極固定接続部７Ａ、及びベース側負極固定接続部７Ｂを備える。
【００３１】
（構成−取付ベース）
取付ベース１は、天井９００に取り付けられる取付手段である。この取付ベース１の具体的な種類や構成は任意であるが、例えば、天井９００に対して不図示の公知の固定手段（例えば、ねじ、あるいは、係合又は嵌合構造等）によって固定されているものであり、開口部１１及びガイド１２を備えるものである。図３は、ベース側正極固定接続部及びベース側負極固定接続部が取り付けられている状態の取付ベースの底面図である。
【００３２】
（構成−取付ベース−開口部）
開口部１１は、図２の正極側導電線ＬＡ及び負極側導電線ＬＢが挿通されるものであり、例えば、取付ベース１における内側寄りの位置に設けられているものである。ここで、「正極側導電線」ＬＡとは、感知器１００の外部から感知器１００に対して電源電圧を供給するための正極の導電線であり、例えば、少なくとも一部が天井９００の内部に配設されているものである。また、「負極側導電線」ＬＢとは、感知器１００の外部から感知器１００に対して電源電圧を供給するための負極の導電線であり、例えば、少なくとも一部が天井９００の内部に配設されているものである。
【００３３】
（構成−取付ベース−ガイド）
ガイド１２は、取付ベース１と筐体２とを互いに取り付けて固定する場合に、これらの取付ベース１と筐体２とを回動中心Ａ１を基準に回動させるための案内手段であり、例えば、図３に示すように、回動中心Ａ１からの距離が一定となり、且つ、取付べース１の縁よりも内側となる位置に環状に設けられているものである。ここで、「回動中心」Ａ１とは、取付ベース１と筐体２とを互いに固定するために回動させる場合の、取付ベース１及び筐体２の回動の基準となる仮想的な軸であり、例えば、図２に示すように感知器１００が取り付けられている場合においては、ＸＹ平面に平行な方向における取付ベース１の中心を通り、且つ、高さ方向（Ｚ軸方向）に平行となる仮想的な軸である。
【００３４】
（構成−筐体）
筐体２は、検出空間３、回路基板４、支持板５、基板側正極端子６Ａ、基板側負極端子６Ｂ、ベース側正極固定接続部７Ａ、及びベース側負極固定接続部７Ｂ（以下、「検出空間３、回路基板４、支持板５、基板側正極端子６Ａ、基板側負極端子６Ｂ、ベース側正極固定接続部７Ａ、及びベース側負極固定接続部７Ｂ」が構成要素に対応し、これらを「収容対象」とも称する）を収容する収容手段である。この筐体２の具体的な種類や構成は任意であるが、例えば、高さ方向（Ｚ方向）における上側（＋Ｚ方向）に設けられている円筒状部分であってガイド１２よりも僅かに大径の円筒状部分と、この円筒状部分から下側（−Ｚ方向）に向かうにつれて小径となっているテーパ状部分とによって形成されているものであって、図１の開口部２１を備えるものである。
【００３５】
（構成−筐体−開口部）
開口部２１は、検出対象である煙を感知器１００の外部から検出空間３に流入させるための流入手段であり、例えば、筐体２のテーパ状部分に複数設けられているものである。
【００３６】
（構成−検出空間）
図２の検出空間３は、検出手段であり、検出対象である煙が流入する空間である。検出空間３の具体的な種類や構成は任意であるが、例えば、外部からのが外乱光を遮光する公知のラビリンス及び外部からの虫の進入を防止する防虫網等によって囲まれた空間として構成されているものである。
【００３７】
（構成−回路基板）
図２の回路基板４は、不図示の感知器回路が実装されているものである。回路基板４の具体的な種類や構成は任意であるが、例えば、リジッド基板として構成されているものである。なお、「感知器回路」とは、回路基板４に実装されている電気回路であり、具体的には、検出対象である煙を検出することにより火災を判定するための電気回路である。この感知器回路の具体的な種類や構成は任意であるが、例えば、正極側導電線ＬＡ及び負極側導電線ＬＢを介して供給される電源電圧を用いて動作するものであり、例えば、検出空間３の煙を検出するための発光手段として機能する発光ダイオード、及び検出空間３の煙を検出するための受光手段として機能するフォトダイオード等を備える電気回路等を含む概念である。
【００３８】
（構成−支持板）
図２の支持板５は、回路基板４、基板側正極端子６Ａ、基板側負極端子６Ｂを筐体２に対して支持して固定する支持手段である。支持板５の具体的な種類や構成は任意であるが、例えば、支持板５自身が筐体２に対して不図示の公知の固定手段（例えば、ねじ、あるいは、係合又は嵌合構造等）を用いて固定されているものであり、また、支持板５の下側（−Ｚ側）に回路基板４が不図示の公知の固定手段（例えば、ねじ、接着剤、あるいは、係合又は嵌合構造等）を用いて固定されているものであり、また、支持板５の上側（＋Ｚ側）に基板側正極端子６Ａ及び基板側負極端子６Ｂが不図示の公知の固定手段（例えば、ねじ、接着剤、あるいは、係合又は嵌合構造等）を用いて固定されているものである。
【００３９】
（構成−基板側端子）
図２の基板側正極端子６Ａ及び基板側負極端子６Ｂは、前述の固定接続手段であり、具体的には、前述の第２の部品であって、例えば、磁場を発生しない導電性の部品である。図４は、基板側正極端子及び基板側負極端子が取り付けられている状態の支持板の底面図である。この基板側正極端子６Ａ及び基板側負極端子６Ｂの具体的な種類や構成は任意であるが、例えば、支持板５を介して回路基板４の感知器回路と電気的に接続されているものであり、図４の回動中心Ａ１からの距離が互いに異なる位置に設けられているものであって、詳細には、回動中心Ａ１から基板側正極端子６Ａまでの距離が、回動中心Ａ１から基板側負極端子６Ｂまでの距離よりも長くなるように構成された円柱形状ものである。また、基板側正極端子６Ａは、後述するベース側正極移動端子７２Ａと対向する位置において、支持板５に対して不図示の公知の固定手段（例えば、ねじ、接着剤、あるいは、係合又は嵌合構造等）を用いて固定されている金属製の部品であり、基板側負極端子６Ｂは、後述するベース側負極移動端子７２Ｂと対向する位置において、支持板５に対して不図示の公知の固定手段（例えば、ねじ、接着剤、あるいは、係合又は嵌合構造等）を用いて固定されている金属製の部品である。
【００４０】
（構成−ベース側端子）
図２のベース側正極固定接続部７Ａ及びベース側負極固定接続部７Ｂは、基板側正極端子６Ａ及び基板側負極端子６Ｂと共に、前述の固定機能及び接続機能を発揮するものである。このベース側正極固定接続部７Ａ及びベース側負極固定接続部７Ｂの具体的な種類や構成は任意であるが、例えば、図３の回動中心Ａ１からの距離が互いに異なる位置に設けられているものであって、詳細には、回動中心Ａ１からベース側正極固定接続部７Ａまでの距離が、回動中心Ａ１からベース側負極固定接続部７Ｂまでの距離よりも長くなるように構成されたものである。なお、これらのベース側正極固定接続部７Ａ及びベース側負極固定接続部７Ｂの構成は、互いに同様であることとして、ベース側正極固定接続部７Ａについてその詳細を説明し、ベース側負極固定接続部７Ｂについてはその概要を説明する。
【００４１】
（構成−ベース側端子−ベース側正極固定接続部）
ベース側正極固定接続部７Ａは、例えば、ベース側正極固定端子７１Ａ、ベース側正極移動端子７２Ａ、及び正極支持部材７３Ａを備えるものである。
【００４２】
（構成−ベース側端子−ベース側正極固定接続部−ベース側正極固定端子）
ベース側正極固定端子７１Ａは、取付ベース１に対して移動不可能に固定されている金属製の部材であり、例えば、正極支持部材７３Ａと電気的に接続された状態で取付ベース１に固定されるものである。図５は、図２の一部の拡大図である。図５のベース側正極固定端子７１Ａの具体的な種類や構成は任意であるが、例えば、全体としては、正極支持部材７３Ａを介して取付ベース１に固定されているネジ形状のものであり、詳細には、ヘッド部７１Ａ１及び本体部７１Ａ２を備えるものである。ヘッド部７１Ａ１は、ベース側正極固定端子７１Ａの下側（−Ｚ方向）の一部であり、ネジ形状のヘッドとして機能するものである。本体部７１Ａ２は、ベース側正極固定端子７１Ａの高さ方向（Ｚ方向）に伸びている一部であって、ネジ形状の本体部として機能するものであり、例えば、正極支持部材７３Ａの固定支持部分７３Ａ１及び取付ベース１に対して連続的に螺着して固定されているものであり、また、正極側導電線ＬＡの一端が巻回されて電気的に接続されているものである。
【００４３】
（構成−ベース側端子−ベース側正極固定接続部−ベース側正極移動端子）
ベース側正極移動端子７２Ａは、前述の固定接続手段であり、具体的には、前述の第１の部品であって、例えば、磁場を発生する導電性の部品であって、正極支持部材７３Ａと電気的に接続された状態で、取付ベース１に対して、取付ベース１と筐体２とが対向する方向（Ｚ方向）に移動可能に取り付けられている部品である。このベース側正極移動端子７２Ａの具体的な種類や構成は任意であるが、例えば、公知の永久磁石の表面を金属にて被覆（つまり、メッキ処理）することにより構成される部材であり、全体としては、基板側正極端子６Ａと対向する位置において正極支持部材７３Ａにて支持されているものであり、詳細には、対向ヘッド部７２Ａ１、本体部７２Ａ２、及び固定ヘッド部７２Ａ３を備えるものである。
【００４４】
対向ヘッド部７２Ａ１は、ベース側正極移動端子７２Ａの下側（−Ｚ方向）の一部であり、例えば、円盤形状のものであり、Ｓ極又はＮ極のうちの任意の極になるように磁化されているものであり、一例としては、Ｓ極になるように磁化されているものである。
【００４５】
本体部７２Ａ２は、ベース側正極移動端子７２Ａの高さ方向（Ｚ方向）に伸びている一部であり、例えば、円柱形状のものであって、正極支持部材７３Ａの移動支持部分７３Ａ２と少なくとも一部が常に接触しているものである。
【００４６】
固定ヘッド部７２Ａ３は、ベース側正極移動端子７２Ａの上側（＋Ｚ方向）の一部であって、ベース側正極移動端子７２Ａが正極支持部材７３Ａの移動支持部分７３Ａ２から外れるのを防止するためのストッパであり、例えば、円盤形状のものであり、移動支持部分７３Ａ２の開口部７３Ａ４よりも大径のものである。
【００４７】
（構成−ベース側端子−ベース側正極固定接続部−正極支持部材）
正極支持部材７３Ａは、取付ベース１に対して移動不可能に固定されている金属製の部材であり、例えば、ベース側正極固定端子７１Ａとベース側正極移動端子７２Ａとを電気的に接続するものであり、また、ベース側正極移動端子７２Ａを支持するもののである。正極支持部材７３Ａの具体的な種類や構成は任意であるが、例えば、全体としては、取付ベース１に不図示の公知の固定手段（例えば、ねじ、あるいは、係合又は嵌合構造等）によって固定されているものであり、詳細には、固定支持部分７３Ａ１、及び移動支持部分７３Ａ２を備えるものである。
【００４８】
固定支持部分７３Ａ１は、正極支持部材７３Ａにおける取付ベース１の開口部１１側の一部であり、例えば、ベース側正極固定端子７１Ａが螺着される平板形状のものである。
【００４９】
移動支持部分７３Ａ２は、正極支持部材７３Ａにおける取付ベース１の開口部１１とは反対側の一部であり、例えば、内部空間部７３Ａ３及び開口部７３Ａ４を形成する矩形柱形状のものである。ここで、「内部空間部」７３Ａ３とは、ベース側正極移動端子７２Ａの固定ヘッド部７２Ａ３を収容する空間である。「開口部」７３Ａ４とは、ベース側正極移動端子７２Ａの本体部７２Ａ２が挿通される孔であり、例えば、移動支持部分７３Ａ２における開口部７３Ａ４を形成している縁が本体部７２Ａ２と常に接触するように構成されているものである。
【００５０】
（構成−ベース側端子−ベース側負極固定接続部）
図２のベース側負極固定接続部７Ｂは、例えば、ベース側負極固定端子７１Ｂ、ベース側負極移動端子７２Ｂ、及び負極支持部材７３Ｂを備えるものである。
【００５１】
（構成−ベース側端子−ベース側負極固定接続部−ベース側負極固定端子）
ベース側負極固定端子７１Ｂは、取付ベース１に対して移動不可能に固定されている金属製の部材であり、例えば、負極支持部材７３Ｂと電気的に接続された状態で取付ベース１に固定されるものであって、負極側導電線ＬＢの一端が巻回されて電気的に接続されているものである。
【００５２】
（構成−ベース側端子−ベース側負極固定接続部−ベース側負極移動端子）
ベース側負極移動端子７２Ｂは、前述の固定接続手段であり、具体的には、前述の第１の部品であって、例えば、磁場を発生する導電性の部品であって、負極支持部材７３Ｂと電気的に接続された状態で、取付ベース１に対して、取付ベース１と筐体２とが対向する方向（Ｚ方向）に移動可能に取り付けられている部品である。なお、このベース側負極移動端子７２Ｂの対向ヘッド部７２Ｂ１については、前述したベース側正極移動端子７２Ａの対向ヘッド部７２Ａ１と同様に、Ｓ極になるように磁化されているものとして説明する。
【００５３】
（構成−ベース側端子−ベース側負極固定接続部−負極支持部材）
負極支持部材７３Ｂは、取付ベース１に対して移動不可能に固定されている金属製の部材であり、例えば、ベース側負極固定端子７１Ｂとベース側負極移動端子７２Ｂとを電気的に接続するものであり、また、ベース側負極移動端子７２Ｂを支持するものである。
【００５４】
（感知器の取り付け）
次に、このように構成された感知器１００の天井９００への取り付けについて説明する。図６は、図２に対応する断面図であって、天井に既に取り付けられている取付ベースと、未だ取付ベースに取り付けられていない筐体とを示す断面図である。
【００５５】
まず、図６に示すように、不図示の公知の固定手段を用いて、取付ベース１を天井９００に取り付けて固定し、正極導電線ＬＡの一端をベース側正極固定端子７１Ａに巻回して電気的に接続し、また、負極導電線ＬＢの一端をベース側負極固定端子７１Ｂに巻回して電気的に接続する。
【００５６】
次に、図６において筐体２を上側（＋Ｚ方向）に移動させる。なお、この場合、ＸＹ平面に平行な方向における取付ベース１に対する筐体２の相対的な位置が合致するように、筐体２における上側（＋Ｚ方向）の端部が、取付ベース１のガイド１２を外側から覆うように移動させる。
【００５７】
次に、基板側正極端子６Ａとベース側正極移動端子７２Ａとが相互に対向し、且つ、基板側負極端子６Ｂとベース側負極移動端子７２Ｂとが相互に対向するように、回動中心Ａ１を基準にガイド１２に沿って筐体２を回動させる。なお、ここでは、基板側正極端子６Ａ及びベース側正極移動端子７２Ａと回動中心Ａ１との間の距離と、基板側負極端子６Ｂ及びベース側負極移動端子７２Ｂと回動中心Ａ１との間の距離とが互いに異なっているので、基板側正極端子６Ａとベース側正極移動端子７２Ａとが相互に対向し、且つ、基板側負極端子６Ｂとベース側負極移動端子７２Ｂとが相互に対向する位置において、これらの端子が磁力によって引き合うこと着目して、筐体２を回動させることとする。
【００５８】
そして、基板側正極端子６Ａとベース側正極移動端子７２Ａとが相互に対向し、且つ、基板側負極端子６Ｂとベース側負極移動端子７２Ｂとが相互に対向するように筐体２を回動させた場合、図２に示すように、ベース側正極移動端子７２Ａが取付ベース１に対して相対的に下側（−Ｚ方向）に磁力にて移動して基板側正極端子６Ａに当該磁力にて吸着して接触し、また、ベース側負極移動端子７２Ｂがベース１に対して相対的に下側（−Ｚ方向）に磁力にて移動して基板側負極端子６Ｂに当該磁力にて吸着して接触することになる。このようにして、筐体２が取付ベース１に対して取り付けられて固定されることになる。
【００５９】
なお、この場合、正極側導電線ＬＡは、ベース側正極固定端子７１Ａ、正極支持部材７３Ａ、ベース側正極移動端子７２Ａ、基板側正極端子６Ａを介して、回路基板４の感知器回路と電気的に接続され、また、負極側導電線ＬＢは、ベース側負極固定端子７１Ｂ、負極支持部材７３Ｂ、ベース側負極移動端子７２Ｂ、基板側負極端子６Ｂを介して、回路基板４の感知器回路と電気的に接続されて、取付ベース１側と筐体２側とが電気的に接続されることになる。このようにして、筐体２が取付ベース１に固定された場合、電源電圧を、正極側導電線ＬＡ及び負極側導電線ＬＢを介して回路基板４の感知器回路に供給することが可能となる。
【００６０】
（感知器の取外し）
次に、このように構成された感知器１００の天井９００からの取り外しについて説明する。まず、基板側正極端子６Ａとベース側正極移動端子７２Ａとが相互に対向せず、且つ、基板側負極端子６Ｂとベース側負極移動端子７２Ｂとが相互に対向しなくなるように、回動中心Ａ１を基準にガイド１２に沿って筐体２を回動させる。このようにして、基板側正極端子６Ａとベース側正極移動端子７２Ａとが相互に対向せず、且つ、基板側負極端子６Ｂとベース側負極移動端子７２Ｂとが相互に対向しなくなった場合、磁力による吸着が行われなくなるので、筐体２を下側（−Ｚ方向）に容易に移動させることが可能となる。
【００６１】
なお、この場合、ベース側正極移動端子７２Ａが基板側正極端子６Ａから離れ、且つ、ベース側負極移動端子７２Ｂが基板側負極端子６Ｂから離れることになって、正極側導電線ＬＡと回路基板４の感知器回路とが電気的に遮断されることになり、また、負極側導電線ＬＢと回路基板４の感知器回路とが電気的に遮断されることになり、取付ベース１側と筐体２側とが電気的に遮断されることになる。
【００６２】
次に、筐体２を下側（−Ｚ方向）に移動させて筐体２を取り外すことにより、感知器１００が取り外されることになる。
【００６３】
（実施の形態の効果）
このように本実施の形態によれば、基板側正極端子６Ａ、基板側負極端子６Ｂ、ベース側正極移動端子７２Ａ、及びベース側負極移動端子７２Ｂを備えることにより、例えば、取付ベース１と筐体２とを相互に磁力を用いて固定することができるので、天井９００に対して容易に取り付けることが可能な感知器１００を提供することができる。また、基板側正極端子６Ａ、基板側負極端子６Ｂ、ベース側正極移動端子７２Ａ、及びベース側負極移動端子７２Ｂが固定機能に加えて接続機能を有しているので、例えば、これらの構成のみを用いて、取付ベース１と筐体２との相互間の固定と、取付ベース１側と筐体２側との相互間の電気的な接続とを行うことができるので、感知器１００の部品点数を減らすことができ、コンパクトな感知器１００を低コストで提供することができる。
【００６４】
また、取付ベース１に取り付けられているベース側正極移動端子７２Ａ、及びベース側負極移動端子７２Ｂと、筐体２に取り付けられている基板側正極端子６Ａ、基板側負極端子６Ｂであって、ベース側正極移動端子７２Ａ、及びベース側負極移動端子７２Ｂと対向している基板側正極端子６Ａ、基板側負極端子６Ｂとを備えることにより、例えば、取付ベース１側の部品と筐体２側の部品とを用いて、取付ベース１と筐体２とを強固に固定することができる。
【００６５】
また、基板側正極端子６Ａ及び基板側負極端子６Ｂ各々が、回動中心Ａ１からの距離が互いに異なる複数の位置に設けられている部品であり、また、ベース側正極移動端子７２Ａ及びベース側負極移動端子７２Ｂ各々が、回動中心Ａ１からの距離が互いに異なる複数の位置に設けられている部品であることにより、例えば、意図していない組み合わせの、基板側正極端子６Ａ及び基板側負極端子６Ｂ、ベース側正極移動端子７２Ａ及びベース側負極移動端子７２Ｂ同士が、相互に対向して電気的に接続されるのを防止することができる。
【００６６】
また、ベース側正極移動端子７２Ａ及びベース側負極移動端子７２Ｂが、自己が取り付けられている取付ベース１に対して、取付ベース１と筐体２とが対向する方向（Ｚ方向）に沿って移動可能に取り付けられていることにより、例えば、取付ベース１と筐体２とが対向する方向（Ｚ方向）において遊びを持たせることができるので、基板側正極端子６Ａ及び基板側負極端子６Ｂと、ベース側正極移動端子７２Ａ及びベース側負極移動端子７２Ｂとを相互に確実に接触させることができ、取付ベース１側と筐体２側とを相互に電気的に確実に接続することができる。
【００６７】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６８】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６９】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００７０】
（対向ヘッド部の磁極について）
また、上記実施の形態では、図２のベース側正極移動端子７２Ａの対向ヘッド部７２Ａ１及びベース側負極移動端子７２Ｂの対向ヘッド部７２Ｂ１の両方が、Ｓ極になるように構成する場合について説明したが、これに限らない。例えば、対向ヘッド部７２Ａ１又は対向ヘッド部７２Ｂ１の一方がＳ極になり且つ他方がＮ極になるように構成してもよいし、これらの両方がＮ極になるように構成してもよい。
【００７１】
（第２の部品について）
また、上記実施の形態では、「第２の部品」について磁場を発生しない導電性の部品として構成する場合について説明したが、これに限らない。例えば、「第２の部品」について磁場を発生する導電性の部品として構成してもよい。具体的には、図２の基板側正極端子６Ａ及び基板側負極端子６Ｂを、ベース側正極移動端子７２Ａと同様に、公知の永久磁石の表面を金属にて被覆して構成してもよい。この場合、基板側正極端子６Ａがベース側正極移動端子７２Ａに吸着し、且つ、基板側負極端子６Ｂがベース側負極移動端子７２Ｂに吸着するように、基板側正極端子６Ａについてはベース側正極移動端子７２Ａに対して異極となるように構成し、また、基板側負極端子６Ｂについてはベース側負極移動端子７２Ｂに対して異極となるように構成してもよい。
【００７２】
（第１の部品及び第２の部品について）
また、上記実施の形態では、第１の部品を取付ベース１に設け、且つ、第２の部品を筐体２に設ける場合について説明したが、これに限らない。例えば、入れ替えて、第１の部品を筐体２に設け、且つ、第２の部品を取付ベース１に設けてもよい。また、上記実施の形態では、第１の部品が取付ベース１に対して移動可能であり、且つ、第２の部品が筐体２に対して移動不可能である場合について説明したが、これに限らない。例えば、第１の部品及び第２の部品が取付ベース１及び筐体２に対して移動不可能となるように構成してもよいし、また、第１の部品が移動不可能となり、且つ、第２の部品のみが移動可能となるように構成してもよい。
【００７３】
（固定接続手段の個数について）
また、上記実施の形態では、固定接続手段を２個（つまり、基板側正極端子６Ａとベース側正極移動端子７２Ａとの組み合わせ、及び、基板側負極端子６Ｂとベース側負極移動端子７２Ｂとの組み合わせの２組）設ける場合について説明したが、これに限らない。例えば、火災発生を外部に通報するための信号である移報信号の端子のために、固定接続手段を１個のみ設けてもよいし、上記実施の形態の電源電圧の端子のための２個の固定接続手段と移報信号の端子のための１個の固定接続手段で、固定接続手段を合計３個の固定接続手段を設けてもよいし、これらの３個の固定接続手段に加えてその他の機能を実現するための端子のための固定手段を１個以上設けて、固定接続手段を合計４個以上設けてもよい。
【００７４】
（固定接続手段の位置及び形状について（その１））
また、上記実施の形態では、回動中心Ａ１からベース側正極移動端子７２Ａ及び基板側正極端子６Ａまでの距離（以下、「回動中心Ａ１から正極側の端子までの距離」と称する）と、回動中心Ａ１からベース側負極移動端子７２Ｂ及び基板側負極端子６Ｂまでの距離（以下、「回動中心Ａ１から負極側の端子までの距離」と称する）とが相互に異なるように構成する場合について説明したが、これに限らない。例えば、「回動中心Ａ１から正極側の端子までの距離」と、「回動中心Ａ１から負極側の端子までの距離」とが相互に同じになるように構成して、つまり、回動中心Ａ１を中心とした１つの円状に、ベース側正極移動端子７２Ａ及びベース側負極移動端子７２Ｂと、基板側正極端子６Ａ及び基板側負極端子６Ｂとが設けられるように構成してもよい。このように構成した場合、基板側正極端子６Ａ及び基板側負極端子６Ｂ各々が、回動中心Ａ１からの距離が互いに同じになる複数の位置に設けられている複数の部品であり、また、ベース側正極移動端子７２Ａ及びベース側負極移動端子７２Ｂが、回動中心Ａ１からの距離が互いに同じになる複数の位置に設けられている複数の部品であることにより、例えば、基板側正極端子６Ａ及び基板側負極端子６Ｂを１つの円状にまとめたり、また、ベース側正極移動端子７２Ａ及びベース側負極移動端子７２Ｂを１つの円状にまとめたりすることができるので、感知器１００のスペースを有効に活用することが可能となる。
【００７５】
（固定接続手段の位置及び形状について（その２））
また、上述の「（固定接続手段の位置及び形状について（その１））」のように構成する場合、端子の接続間違いを防止するために、ベース側正極移動端子７２ＡがＳ極となり、ベース側負極移動端子７２ＢがＮ極となるように構成し、また、基板側正極端子６ＡがＮ極となり、基板側負極端子６ＢがＳ極となるように構成してもよい。なお、これらの極性を入れ替えてもよい。
【００７６】
（固定接続手段の位置及び形状について（その３））
また、上記実施の形態の第１の部品又は第２の部品を、回動中心Ａ１を基準に取付ベース１及び筐体２が相対的に回動する方向に延在するように構成してもよい。図７及び図８は、変形例の基板側正極端子及び変形例の基板側負極端子が取り付けられている状態の支持板の底面図である。例えば、図４の基板側正極端子６Ａ及び基板側負極端子６Ｂの形状を、図７の基板側正極端子８Ａ及び基板側負極端子８Ｂの形状のように構成してもよいし、図８の基板側正極端子９Ａ及び基板側負極端子９Ｂの形状のように構成してもよい。また、例えば、ベース側正極移動端子７２Ａ及びベース側負極移動端子７２Ｂの構成を、これらと同様な形状としてもよい。また、例えば、基板側正極端子６Ａ又は基板側負極端子６Ｂ、及びベース側正極移動端子７２Ａ又はベース側負極移動端子７２Ｂを、回動中心Ａ１に設けてもよい。このように構成した場合、例えば図７の基板側正極端子８Ａ及び基板側負極端子８Ｂが、回動中心Ａ１を基準に取付ベース１及び筐体２が相対的に回動する方向に延在していることにより、例えば、取付ベース１及び筐体２が相対的に回動する方向において余裕ができるので、基板側正極端子８Ａ及び基板側負極端子８Ｂと、ベース側正極移動端子７２Ａ及びベース側負極移動端子７２Ｂとを、確実かつ容易に相互に対向させることができる。
【００７７】
（取り外し手法について）
また、上記実施形態において、図２の取付ベース１に対して筐体２が磁力にて固定されていることに着目して、磁力印加治具を用いて筐体２を取り外してもよい。ここで、「磁力印加治具」とは、感知器１００の外部から磁力を与える磁場発生手段であり、具体的には、感知器１００のメンテナンスを行う作業者によって用いられるものであり、例えば、作業者によって保持される長尺状の支持棒と当該支持棒の先端側に設けられている磁場発生部とを備えて構成されるもの等を含む概念である。そして、磁力印加治具の磁場発生部から、図２のベース側正極移動端子７２Ａの対向ヘッド部７２Ａ１の極性、及びベース側負極移動端子７２Ｂの対向ヘッド部７２Ｂ１の極性と同極となる磁界（つまり、反発力を発生する磁界）を出力させるように構成し、作業者が支持棒を保持して、感知器１００の下側（−Ｚ方向）に磁場発生部を設けて、この磁場発生部から磁界を発生させることとする。この場合、磁場発生部から磁界によって、ベース側正極移動端子７２Ａ及びベース側負極移動端子７２Ｂは上側（＋Ｚ方向）に移動することによって吸着力が弱まって、筐体２の取外しが容易になる。また、磁力印加治具の磁場発生部から出力される磁界を強めることになり、基板側正極端子６Ａ及び基板側負極端子６Ｂ（つまり、筐体２）を下側（−Ｚ方向）に引っ張って、筐体２を磁力印加治具の磁場発生部からの磁界のみを用いて取り外せるように構成してもよい。このように構成した場合、磁力印加治具の磁場発生部から所定の外部磁場が印加された場合に、筐体２が取付ベース１から取り外されるように構成されていることにより、例えば、天井９００からの筐体２の取外しを容易に行うことができる。
【００７８】
（支持板について）
また、上記実施の形態の図２の支持板５を取り除いて、基板側正極端子６Ａ及び基板側負極端子６Ｂを、回路基板４に直接的に取り付けてもよい。
【００７９】
（固定強度の補強について）
また、上記実施の形態の図２の取付ベース１に対する筐体２の固定強度を補強する補強手段を設けてもよい。そして、補強手段については、互いに係合等することにより固定強度を補強する公知の手段等を用いてもよい。
【００８０】
（収容について）
また、上記実施の形態における、筐体２が収容対象を収容するという表現については、例えば図２の組み立てられた感知器１００において、筐体２が収容対象を覆うことを含む概念であるものと解釈してもよい。
【００８１】
（特徴について）
また、上記実施の形態の特徴及び変形例の特徴を任意に組合わせたり、省略したりしてもよい
【００８２】
（付記）
付記１の防災装置は、設置対象物に取り付けられる防災装置であって、前記設置対象物に取り付けられる取付手段と、前記防災装置の構成要素を収容する収容手段であって、前記取付手段に取り付けられる前記収容手段と、前記取付手段と前記収容手段とを相互に磁力を用いて固定する固定機能と、前記取付手段側と前記収容手段側とを相互に電気的に接続する接続機能とを有する固定接続手段と、を備える。
【００８３】
付記２の防災装置は、付記１に記載の防災装置において、前記固定接続手段は、前記取付手段又は前記収容手段のうちの一方の手段に取り付けられている第１の部品と、前記取付手段又は前記収容手段のうちの他方の手段に取り付けられている第２の部品であって、前記第１の部品と対向している前記第２の部品と、を備え、前記第１の部品は、磁場を発生する導電性の部品であり、前記第２の部品は、磁場を発生する導電性の部品又は磁場を発生しない導電性の部品である。
【００８４】
付記３の防災装置は、付記２に記載の防災装置において、前記取付手段及び前記収容手段は、回動中心を基準に回動して互いに取り付けられ、前記第１の部品及び前記第２の部品各々は、前記回動中心からの距離が互いに異なる複数の位置に設けられている複数の部品である。
【００８５】
付記４の防災装置は、付記２又は３に記載の防災装置において、前記取付手段及び前記収容手段は、回動中心を基準に回動して互いに取り付けられ、前記第１の部品及び前記第２の部品各々は、前記回動中心からの距離が互いに同じになる複数の位置に設けられている複数の部品である。
【００８６】
付記５の防災装置は、付記３又は４に記載の防災装置において、前記第１の部品又は前記第２の部品は、前記回動中心を基準に前記取付手段及び前記収容手段が相対的に回動する方向に延在している。
【００８７】
付記６の防災装置は、付記２から５の何れか一項に記載の防災装置において、前記第１の部品又は前記第２の部品は、自己が取り付けられている前記取付手段又は前記収容手段に対して、前記取付手段と前記収容手段とが対向する方向に沿って移動可能に取り付けられている。
【００８８】
付記７の防災装置は、付記１から６の何れか一項に記載の防災装置において、前記防災装置は、前記固定接続手段の外部の磁場発生手段から所定の外部磁場が印加された場合に、前記収容手段が前記取付手段から取り外されるように構成されている。
【００８９】
（付記の効果）
付記１に記載の防災装置によれば、固定接続手段を備えることにより、例えば、取付手段と収容手段とを相互に磁力を用いて固定することができるので、設置対象物に対して容易に取り付けることが可能な防災装置を提供することができる。また、固定接続手段が固定機能に加えて接続機能を有しているので、例えば、１つのみの手段を用いて、取付手段と収容手段との相互間の固定と、取付手段側と収容手段側との相互間の電気的な接続とを行うことができるので、防災装置の部品点数を減らすことができ、コンパクトな防災装置を低コストで提供することができる。
【００９０】
付記２に記載の防災装置によれば、取付手段又は収容手段のうちの一方の手段に取り付けられている第１の部品と、取付手段又は収容手段のうちの他方の手段に取り付けられている第２の部品であって、第１の部品と対向している第２の部品とを備えることにより、例えば、取付手段側の部品と収容手段側の部品とを用いて、取付手段と収容手段とを強固に固定することができる。
【００９１】
付記３に記載の防災装置によれば、第１の部品及び第２の部品各々が、回動中心からの距離が互いに異なる複数の位置に設けられている複数の部品であることにより、例えば、意図していない組み合わせの第１の部品及び第２の部品同士が、相互に対向して電気的に接続されるのを防止することができる。
【００９２】
付記４に記載の防災装置によれば、第１の部品及び第２の部品各々が、回動中心からの距離が互いに同じになる複数の位置に設けられている複数の部品であることにより、例えば、第１の部品及び第２の部品を１つの円状にまとめることができるので、防災装置のスペースを有効に活用することが可能となる。
【００９３】
付記５に記載の防災装置によれば、第１の部品又は第２の部品が、回動中心を基準に取付手段及び収容手段が相対的に回動する方向に延在していることにより、例えば、取付手段及び収容手段が相対的に回動する方向において余裕ができるので、第１の部品及び第２の部品を、確実かつ容易に相互に対向させることができる。
【００９４】
付記６に記載の防災装置によれば、第１の部品又は第２の部品が、自己が取り付けられている取付手段又は収容手段に対して、取付手段と収容手段とが対向する方向に沿って移動可能に取り付けられていることにより、例えば、取付手段と収容手段とが対向する方向において遊びを持たせることができるので、第１の部品及び第２の部品を相互に確実に接触させることができ、取付手段側と収容手段側とを相互に電気的に確実に接続することができる。
【００９５】
付記７に記載の防災装置によれば、磁場発生手段から所定の外部磁場が印加された場合に、収容手段が取付手段から取り外されるように構成されていることにより、例えば、設置対象物からの収容手段の取外しを容易に行うことができる。
【符号の説明】
【００９６】
１  取付ベース
２  筐体
３  検出空間
４  回路基板
５  支持板
６Ａ  基板側正極端子
６Ｂ  基板側負極端子
７Ａ  ベース側正極固定接続部
７Ｂ  ベース側負極固定接続部
８Ａ  基板側正極端子
８Ｂ  基板側負極端子
９Ａ  基板側正極端子
９Ｂ  基板側負極端子
１１  開口部
１２  ガイド
２１  開口部
７１Ａ  ベース側正極固定端子
７１Ａ１  ヘッド部
７１Ａ２  本体部
７２Ａ  ベース側正極移動端子
７２Ａ１  対向ヘッド部
７２Ａ２  本体部
７２Ａ３  固定ヘッド部
７３Ａ  正極支持部材
７３Ａ１  固定支持部分
７３Ａ２  移動支持部分
７３Ａ３  内部空間部
７３Ａ４  開口部
７１Ｂ  ベース側負極固定端子
７２Ｂ  ベース側負極移動端子
７２Ｂ１  対向ヘッド部
７３Ｂ  負極支持部材
１００  感知器
９００  天井
Ａ１  回動中心
ＬＡ  正極側導電線
ＬＢ  負極側導電線
【図１】
2018120545.tif 000003
【図２】
2018120545.tif 000004
【図３】
2018120545.tif 000005
【図４】
2018120545.tif 000006
【図５】
2018120545.tif 000007
【図６】
2018120545.tif 000008
【図７】
2018120545.tif 000009
【図８】
2018120545.tif 000010